【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
屋外の栽培コンディションを模擬するための屋内非土壌植物栽培システムであって、
ａ）それぞれが、予め定められた照明特性に従って、屋内施設の予め定められた区域を照明するように構成された複数の固定された光ポストであって、前記光ポストの１つ以上の前記照明特性が、正午の照明コンディションを模擬し、前記光ポストの１つ以上の前記照明特性が、午前または午後の照明コンディションを模擬する光ポストと、
ｂ）所与のいずれの時刻においても前記光ポストの１つ以上により生成される光にさらされることが可能であり、更には、モジュールの暗い内部領域を画定する少なくとも１つのモジュールとして配置され、前記暗い内部領域によって、瞬間的に配置される植物が夜間の感覚を受ける複数の植物栽培タワーと、
ｃ）前記光ポストのそれぞれに取り付けられた複数の光素子であって、前記光素子のそれぞれが、その角度境界が１つまたは２つの前記タワー外周に入射する光照射角を生成するように構成された指向性レンズを備え、前記タワー外周への光入射の結果として、２つの隣接するタワー間の前記モジュールの内部領域への対応する照射光の伝播が遮断されることを引き起こし、それにより、前記内部領域が、植物が栽培されるために予め定められた光合成有効照射レベルに満たない照射レベルまで暗くされることを確実にする、光素子と、
ｄ）前記少なくとも１つのモジュールの前記光ポストにより照射される前記照明特性に従い、午前の照明コンディション、真昼の照明コンディション、午後の照明コンディション、及び、夜間のコンディションに連続的にさらされるように、前記タワーのそれぞれを、２４時間毎に完結するタワーの回転によって、実質的に垂直な軸周りに、周期的に回転させるように構成される駆動ユニットと、
ｅ）前記タワーのそれぞれで栽培される植物に、栄養素に富んだ溶液を供給する灌水手段と、
を備える屋内非土壌植物栽培システム。
【請求項２】
請求項１に記載のシステムであって、
前記タワーのそれぞれが複数の取り付け要素と共に構成され、
前記取り付け要素のそれぞれにより、対応する植物が、異なるタワー外周部に取り付けられ得て、前記外周部から外方向に成長するように促され、
前記取り付け要素の複数のグループが、前記タワーの異なる高さレベルに定義されるシステム。
【請求項３】
請求項２に記載のシステムであって、
前記タワーの１つで栽培される全ての植物の葉は、植物間の高さの違いに関わらず、所与の模擬された時間周期で、前記光ポストの近接する１つに取り付けられた前記光素子から照射される実質的に均等な光の分布にさらされるシステム。
【請求項４】
請求項３に記載のシステムであって、
前記光素子は、高さ５０ｃｍの前記光ポストの中に光素子４０個以上の密度を有するように、且つ、所与のいずれの高さにおいてもただ１つの前記光素子が取り付けられるように、前記光ポストのそれぞれに取り付けられるシステム。
【請求項５】
請求項４に記載のシステムであって、
前記光素子のセグメントは、前記タワー外周部に光合成光量子束密度をもたらすように、円錐分布角の中で、前記セグメントの前記光素子から照射される構成光ビームが混合されるように配置された、予め定められた数及び配列の光素子を備え、
前記混合された光ビームは、所与の栽培される植物に対して、光合成を促進するように前記タワー外周部に作用するシステム。
【請求項６】
請求項５に記載のシステムであって、
前記所与の模擬された時間周期で照明される、別のタワー外周部における光合成光量子束密度が、実質的に等しいシステム。
【請求項７】
請求項５に記載のシステムであって、
前記予め定められた数及び配列の光素子が、前記光ポストの高さに沿って、全ての他のセグメントで繰り返されるシステム。
【請求項８】
請求項１に記載のシステムであって、更に、
栽培される植物の型により必要とされる予め定められた量の栄養素を送る投薬ポンプと、
予め定められた回数、前記灌水手段へ配送可能な灌漑溶液の伝導率及びｐＨを調節するように動作可能な、前記投薬ポンプとデータ通信する制御部と、
を備えるシステム。
【請求項９】
請求項８に記載のシステムであって、
前記屋内施設は、前記施設の外に存在する屋外のコンディションから分離されるシステム。
【請求項１０】
請求項９に記載のシステムであって、更に、
前記屋内施設の中で、果物及び種作物の生産を促進するための人工授粉システムを備えるシステム。
【請求項１１】
請求項１０に記載のシステムであって、
前記人工授粉システムは、前記光ポストのそれぞれにより支持される、垂直方向に間隔が空けられた複数の空気放出ノズルを備え、空気受けタンクから前記ノズルにより同時に受け取られる圧縮空気のパルス供給が、前記ノズルに接近して瞬間的に配置される植物の葯から花粉を解放することを引き起こすように機能するシステム。
【請求項１２】
請求項１１に記載のシステムであって、
前記人工授粉システムは、更に、
前記空気タンクから延び、前記ノズルのそれぞれと流体連通する前記光ポストの外側に位置する導管と、
前記導管に動作可能に接続され、圧縮空気の圧力を調節する制御部とデータ通信する制御バルブと、
を備えるシステム。
【請求項１３】
請求項１２に記載のシステムであって、
前記人工授粉システムは、
前記モジュールの各タワー付近の局所的な空気の湿度を制御するためのユニットを更に備え、
前記制御部は、
ａ）花粉の解放をサポートするために、前記局所的な湿度を低下させるように前記ユニットに指令し、
ｂ）所与の植物が、いつ前記ノズルに花粉を解放可能に近接して配置されるかに関する情報を、前記駆動ユニットと関連するデータソースから受け、
ｃ）予め定められた時間、前記制御バルブを開けるよう指令して、前記圧縮空気を前記所与の植物に向かわせ、
ｄ）花粉の生存力を確保するために、花粉の解放に続いて、前記局所的な湿度を上昇させるように前記ユニットに指令し、
ｅ）授粉サイクルの終わりに、前記制御バルブを閉じる
ように動作可能であるシステム。
【請求項１４】
請求項１３に記載のシステムであって、
前記ユニットは、空調機及び除湿機であるシステム。
【請求項１５】
請求項１に記載のシステムであって、更に、
前記モジュールの暗い内部領域の中及び上方で、中央に配置されるように取り付けられるシーリングファンであって、動作時に、植物から放出される二酸化炭素が、午前の照明コンディション、真昼の照明コンディション、または、午後の照明コンディションにより特徴づけられる前記モジュールの外側の領域に運ばれることを引き起こし、対応する増加した量の二酸化炭素を吸収する結果として植物の成長速度の増加を誘発するシーリングファンを備えるシステム。
【請求項１６】
請求項１に記載のシステムであって、更に、
植物の根で消費されない余剰の灌漑流体を再利用するための開ループリサイクリングシステムを備えるシステム。
【請求項１７】
請求項１に記載のシステムであって、
前記光ポストのそれぞれに取り付けられた前記光素子は、連続的に動作し、且つ、前記光ポストの内部を通って導入される冷却液を用いて冷却されるシステム。
【請求項１８】
請求項１７に記載のシステムであって、
前記冷却液は、灌漑流体であるシステム。
【請求項１９】
請求項１に記載のシステムであって、
前記光ポストのそれぞれに取り付けられた前記光素子は、植物の代謝プロセスの向上を促進するように変調されるシステム。
【請求項２０】
請求項１に記載のシステムであって、
農薬配送管による供給を受ける多方向農薬噴霧柱を前記暗い内部領域に更に備え、
前記噴霧柱は、異なる複数の方向に突出し、１つ以上のタワーに向けられる複数のノズルを備え、予め定められた量の農薬を噴霧するように構成されるシステム。
【請求項２１】
屋内植物栽培システムであって、
ａ）１つ以上の植物を取り付け可能な植物栽培装置と、
ｂ）予め定められた照明特性に従い、前記１つ以上の植物を照明するように構成された固定された光ポストと、
ｃ）前記１つ以上の植物に、栄養素に富んだ溶液を供給する灌水手段と、
を備え、
前記光ポストに取り付けられた光素子の１つ以上のセグメントのそれぞれが、予め定められた数および配列の光素子であって、前記セグメントの前記光素子から照射される構成光ビームが、円錐分布角の中で混合されて、前記植物栽培装置の外周部に光合成光量子束密度をもたらし、前記混合された光ビームが、栽培される前記１つ以上の植物の光合成を促進するように前記外周部に作用するように配置された光素子を備え、
前記光ポストに取り付けられた前記光素子は、植物の代謝プロセスの向上を促進するように変調される屋内植物栽培システム。
【請求項２２】
人工授粉システムであって、
ａ）空気放出ノズルが取り付けられた光ポストと、
ｂ）回転可能な植物栽培タワーであって、１つ以上の花粉を付けた植物を取り付け可能な植物栽培タワーと、
ｃ）前記１つ以上の植物の瞬間的な位置を検出するセンサと、
ｄ）圧縮空気を貯蔵するための空気受けタンクと、
ｅ）前記空気タンクから延び、前記ノズルと流体連通する導管と、
ｆ）前記導管に動作可能に接続された制御バルブと、
ｇ）前記植物栽培タワー付近の局所的な空気の湿度を制御するためのユニットと、
ｈ）前記センサ、前記制御バルブ、及び前記ユニットとデータ通信する制御部と、
を備え、
前記制御部は、
ｉ．花粉の解放をサポートするために、前記局所的な湿度を低下するように前記ユニットに指令し、
ｉｉ．前記センサにより伝達された信号が、少なくとも１つの前記植物が前記ノズルに花粉を解放可能に近接していることを示すとき、予め定められた時間、前記制御バルブを開けるように指令し、それにより、その葯から花粉を解放し、前記解放された花粉を、同一のまたは隣接する植物の心皮まで空中を浮遊させて運ぶことを誘発するための高圧の圧縮空気のパルス供給が、前記ノズルに花粉を解放可能に近接した前記植物に向けられ、
ｉｉｉ．花粉の生存力を確保するために、花粉の解放に続いて、前記局所的な湿度を上昇させるように前記ユニットに指令し、
ｉｖ．授粉サイクルの終わりに、前記制御バルブを閉じる
ように動作可能である人工授粉システム。